(57)【要約】      （修正有）【課題】展示体の入れ替えと共に、作品に合わせた表装の組み替えができる展示装置を提供する。【解決手段】展示体７の上部を天部Ｘで挟み込み、展示体の下部を地部Ｙで挟み込み、天部に取付けられた掛緒１０で展示体を吊り下げて展示する展示体の展示装置において、天部は、相対向する一対の天部構成部材ａ１、ｂ１で構成され、各天部構成部材は、相対向する面の上部に天部構成部材同士を接合する接合部ａ４、ｂ４を備え、かつ、相対向する面の下部に展示体の上部を接離可能に挟み込み固定する挟み込み固定部ａ３、ｂ３を備えており、地部は、相対向する一対の地部構成部材ａ２、ｂ２で構成され、各地部構成部材は、相対向する面の上部に展示体の下部を接離可能に挟み込み固定する挟み込み固定部ａ５、ｂ５を備えている。【選択図】図２
0003229803.tif 000002
【実用新案登録請求の範囲】
【請求項１】
展示体の上部を天部で挟み込み、展示体の下部を地部で挟み込み、天部に取付けられた掛緒で展示体を吊り下げて展示する展示体の展示装置において、前記天部は、相対向する一対の天部構成部材で構成され、各天部構成部材は、相対向する面の上部に天部構成部材同士を接合する接合部を備え、かつ、相対向する面の下部に前記展示体の上部を接離可能に挟み込み固定する挟み込み固定部を備えており、前記地部は、相対向する一対の地部構成部材で構成され、各地部構成部材は、相対向する面の上部に前記展示体の下部を接離可能に挟み込み固定する挟み込み固定部を備えていることを特徴とする展示体の展示装置。
【請求項２】
接合部及び挟み込み固定部は、永久磁石で構成されていることを特徴とする請求項１に記載の展示体の展示装置。
【請求項３】
前記掛緒は天部に対して結合及び分離可能に構成されている請求項１又は２に記載の展示体の展示装置。
【請求項４】
展示体の装着位置を示す装着補助部を設けた請求項１ないし３のいずれか１項に記載の展示体の展示装置。
【考案の詳細な説明】
【技術分野】
【０００１】  本考案は、展示装置に関するものである。
【背景技術】
【０００２】  現在、書画の展示は、軸装（掛け軸）、パネル、額装とさまざまな展示方法が提供されている。中でも書画の軸装展示は高度な専門的技術により支えられており、１品ごとに表具作業を施し、作品は掛け軸本体に一体化され、額装のように作品の入れ替えはできず、作品を作り続ける作家の経済的負担は大きい。【０００３】  また、掛け軸は図１１に示す通り、床の間に掛けるようできているが、近年一般家庭では和室に床の間を設けている家屋は極めて少なく、掛け軸の伝統的装飾がモダンなインテリアとマッチしていないことが多く見受けられ、展示機会を狭めている。【０００４】  作品の展示会においても掛け軸は壁面に展示することが前提となっており、図９に示すように空き空間を利用する空間展示には限界があった。【０００５】  また、従来、下記特許文献に開示されているように展示体を入れ替えることができる掛け軸が多数知られているが、通常、作家は作品ごとに作品に合った表装の色柄を選び掛け軸としているところ、従来技術は展示体の入れ替えを主としており、作者にとって重要な表装の選択という点が抜けているために、掛け軸と作品のマッチングができない不都合がある。
【先行技術文献】
【特許文献】
【０００６】
【特許文献１】特開平１０―３２８０１４号公報
【特許文献２】特開２００６―７５５３９号公報
【特許文献３】特開２００６―５７８号公報
【特許文献４】実開平７―５４６４号公報
【特許文献５】登録実用新案第３０５５４５６号公報
【特許文献６】実公昭５５−３８９０３号公報
【特許文献７】実公昭６２−９８５６２号公報
【特許文献８】特開平１０−５２３４２号公報
【特許文献９】特開２０１１−４０９号公報
【特許文献１０】特開２００４−２４８７６２号公報
【特許文献１１】特開２０１６―４３０３１号公報
【考案の概要】
【考案が解決しようとする課題】
【０００７】  本考案が解決しようとする課題は５点あり、以下に述べる。【０００８】  課題１、上述した特許文献１〜１１の掛け軸及び展示パネルは、展示体の入れ替えはできるが作品に合せた展示装置の表装の組み替えはできない。【０００９】  課題２、特許文献９は展示体の入れ替えを挟み込む方式で行うが、一文字部分を挟み込むための開口部にしており狭く、大きな作品の場合などは装着時に傷つける恐れがあり、装着時のストレスとなる。さらに開口部の折ジワができ、展示の質を落とすことは避けられない。【００１０】  課題３、特許文献１〜１１は展示体の入れ替えを可能とする掛け軸であるが、展示体を上下２点で支持している特許文献２、５、６、７、８及び袋状の中に展示体を入れて装着する特許文献２、３及び窓枠を設け後ろ又は横から装着をする特許文献４、１０は展示体と掛け軸本体との間に隙間が生まれ、全紙や半切サイズの大きな作品の場合、巻ぐせやゆがみの補正が必要となり、装着前後に巻ぐせの修正や位置修正をする必要がある。また、展示体の裏にスチール板を用いる特許文献３の掛け軸はスチール板と掛け軸本体の重量により修正時に展示体の損傷の可能性があり、特許文献１１は掛け軸などを斜めに立てかける展示パネルであり展示空間のロスがある。【００１１】  課題４、特許文献１〜１０までの掛け軸は床の間用の伝統的装飾を踏襲しており現代インテリアとミスマッチを起こし展示機会の減少を招いている。【００１２】  課題５、従来、掛け軸は床の間の壁面展示を前提として作られており、空き空間を利用した両面展示、すなわち空間展示は、使用例として裏面に異なる表装を施すことで両面使用を可能にするとした特許文献７を除き出来ない。
【課題を解決するための手段】
【００１３】  本考案は、前述の課題を解決するためになされたもので、その構成要件は、以下の４点である。【００１４】  要素１、表装の組み替えについて、図３で説明する。前述の通り掛け軸において作品に合う表装の選択は、作品と掛け軸との調和を取るための大切なプロセスであるが、表装された一対の天部構成部材ａ１、ｂ１又はｃ１と一対の地部構成部材ａ２、ｂ２又はｃ２は、接離可能な永久磁石又は面ファスナーで接合されるので組み替えが可能となり、掛緒も合わせて組み替えることで作品と調和のとれた展示ができ課題１を解決する。さらに両面使えるので空間展示が可能となり課題５を解決する。【００１５】  要素２、ストレスのない展示体の入れ替えについて、接離可能な挟み込み固定部を備えた一組の天部Ｘ及び地部Ｙで展示体を挟み込むので、展示体が大きくなっても開口部が狭い、或はサイド又は上からさし込む際の位置合わせや、逆巻にしての巻ジワの修正など装着時のストレスは発生せず、また、展示体の装着位置を示す装着補助部を利用して展示体を挟み込むので、装着後の位置修正することなく入れ替えが可能となり課題２、３を解決する。【００１６】  要素３、伝統的装飾を廃止することについて、軸棒と軸先は展示体を引き伸ばすおもりの役目を持っているが、その役割を地部の自重に代用させることでモダンな表装に交換することが出来、合わせて展示体を引き伸ばすことが作品の巻ぐせやゆがみの修正の問題を解消させ課題３、４を解決する。【００１７】要素４、両面展示について、従来、掛け軸は床の間の壁面展示を基本とするが、裏面も展示可能とすることで課題５を解決する。
【考案の効果】
【００１８】  本考案の展示装置によれば図３に示す通り作家は表装された一組の天部及び地部の組み合わせを作ることで、作品に相応しい表装を選ぶことができ作者の意志を反映した展示が可能となる。あわせて掛緒も独立しているので組み合わせることができ調和のとれた掛け軸同様の高い質の展示ができる。また、それぞれの天部、地部及び掛緒が展示体と接離可能なので使いまわしができ、経済的利益を得ることができる。【００１９】  第２に、作品の入れ替えは、それぞれ一対の接離可能な天部構成部材及び地部構成部材同士を接合し、全体で展示体を挟み込むので大きな展示体であっても広げることなく、また、丸まった状態からでも容易に装着でき、開口部の折ジワもできず装着時に起きる展示体の損傷を防ぐことができる。【００２０】  第３に、装着後の位置修正は、それぞれの天部Ｘ及び地部Ｙに設けられた図４、図７の天部装着補助部ＸＡ、ＸＢ及び地部装着補助部ＹＡ、ＹＢが展示体を正しい装着位置に導くために不必要となり、たるみや巻ぐせの補正については、地部Ｙが自重で展示体を引き伸ばし軸棒、軸先のおもりの役目を果たすので、おもりの役目を果たしていた軸棒、軸先を廃止することが可能となり、モダンインテリアともマッチする。【００２１】  第４に、表装された天部構成部材同士及び地部構成部材同士を接合するので両面使用が可能となり、作品を背中合わせに装着することで、図８の壁面展示だけでなく空き空間を利用した図９の空間展示が可能となる。【００２２】  また、展示体が半切判或は半切１／２判のように小さいサイズの場合でも、図１０に示す通り天部、地部の帯幅を変えることで対応できる。
【図面の簡単な説明】
【００２３】
【図１】展示装置の全体像を示した正面図
【図２】展示装置の全体構造の説明図
【図３】天部、地部組み合わせ図
【図４】展示体装着時の天部説明図
【図５】展示装置の天部構造側面の説明図
【図６】展示装置の地部構造側面の説明図
【図７】展示体装着時の地部説明図
【図８】壁面展示例
【図９】空間展示例
【図１０】小サイズ展示体半切判の場合の全体正面図（実施例２）
【図１１】代表的な掛け軸の形態と名称図
【考案を実施するための形態】
【００２４】  以下、本実施例の基本構成を図２に示す。展示装置は展示体７の上部を天部Ｘで挟み込み、展示体の下部を地部Ｙで挟み込み、天部Ｘに取り付けられた掛緒１０で展示体を吊り下げる構造になっている。
【００２５】  前記天部Ｘの構造を図４、図５で説明する。天部Ｘは相対向する一対の天部構成部材ａ１、ｂ１で構成され、天部構成部材ａ１，ｂ１は裏面の上部に天部構成部材同士を接合する天部接合部ａ４、ｂ４を備え、かつ、相対する面の下部に展示体を挟み込み固定する接離可能な天部挟み込み固定部ａ３、ｂ３を備えている。前記地部Ｙの構造は図６、図７で説明する。地部Ｙは相対向する一対の地部構成部材ａ２、ｂ２で構成され、地部構成部材ａ２，ｂ２は裏面の上部に前記展示体７の下部を挟み込み固定する接離可能な地部挟み込み固定部ａ５、ｂ５を備えている。さらに挟み込みを安定させるために地部構成部材ａ２、ｂ２の下部に地部構成部材同士を接合する地部接合部ａ６、ｂ６を設置してもよい。天部Ｘ及び地部Ｙは紙、布、樹脂フィルム、フィルム状磁性体などの適宜素材にて成型することができる。挟み込み固定部及び接合部の素材としては接離可能を条件として永久磁石、又は面ファスナーを使用してもよいが、設置位置としては天部構成部材ａ１、ｂ１及び地部構成部材ａ２、ｂ２裏面の稜線に添って線上に配置するのが望ましい。
【００２６】  掛緒１０と前記天部Ｘとの関係について図４、図５で説明する。前記天部Ｘに設けられた天部接合部ａ４、ｂ４は中央部にループ状又は紐の両端にひっかかりを設けた掛緒１０を収めるための２つの掛緒装着溝ａ１１、ｂ１１を中央部に左右対称の位置に設け、天部Ｘの天部接合部ａ４、ｂ４同士を接合させ掛緒１０を挟み込むことで掛緒は中央の接合部に引っかかり装置全体を支えることができる。また、掛緒１０は独立しているので前記天部Ｘの接合部同士を離間することにより色柄を選び掛緒も組み替えが可能となる。
【００２７】  前記天部Ｘ及び地部Ｙの表面の仕様について図２で説明する。天部構成部材ａ１、ｂ１は、天部一文字ａ８、ｂ８と一体になった天部表装部ａ１６、ｂ１６で表装され、地部構成部材ａ２、ｂ２は、地部一文字ａ９、ｂ９と一体になった地部表装部ａ１７、ｂ１７で表装されている。各々の表装部は帯状の紙、布又は樹脂の適宜素地にて成型されている。なお、天部一文字ａ８、ｂ８及び地部一文字ａ９、ｂ９も分離し任意の色柄で組み替えを行うことも可能で、その場合は一文字の裏面に薄い磁性体を貼付し、表装された天部Ｘ及び地部Ｙに設けられた天部挟み込み固定部ａ３、ｂ３及び地部挟み込み固定部地ａ５，ｂ５の磁力を介して接合し天部表装部ａ１６、ｂ１６及び地部表装部ａ１７、ｂ１７と一体化することが可能となる。
【００２８】  展示体の装着位置を示す装着補助部について天部については図４で、地部については図７で説明する。天部Ｘの天部装着補助部ＸＡ，ＸＢは天部装着ラインａ１２、ｂ１２と天部装着ストッパーａ１３、ｂ１３で構成されている。図７の地部Ｙの地部装着補助部ＹＡ、ＹＢも同様に地部装着ラインａ１４、ｂ１４と地部装着ストッパーａ１５、ｂ１５で構成されている。それぞれの装着補助部は展示体に正しい装着位置を示し水平垂直を出す役目を担い、結果展示後の展示体の位置修正が不必要となる。装着補助部の設置位置は、あらかじめ紙の既定サイズから想定される余白をもとに決め、各々の装着ラインを設定し、各々の装着ストッパーは、装着ライン上に設け、閉じた時ストッパー同士がぶつからないように左右非対称に設置する。
【００２９】  展示の構造は図３で説明する。天部構成部材ａ１、ｂ１、或はその他ｃ１及び、地部構成部材ａ２、ｂ２、或はその他ｃ２は、それぞれが一文字と一体となった天部表装部及び地部表装部で表装されており、展示体に合う色柄の選択は天部表装部ａ１６、ｂ１６、或はその他ｃ１６及び、地部表装部ａ１７、ｂ１７、或はその他ｃ１７とから選び、それらから１組の天部構成部材及び地部構成部材を組み合わせ単位として、２つを組み合わせて行うことで展示体に合った展示が可能となり、かつ、展示体の入れ替えも可能となる。天部及び地部の組み合わせはａ、ｂ、ｃのように同じ色、柄の表装同士でまとめ組み合わせることが望ましい。
【００３０】  展示体７の天部Ｘへの装着方法は図４、図５で説明する。天部構成部材ｂ１を下にして掛緒１０を掛緒装着溝ｂ１１に収め閉じ、天部接合部ａ４、ｂ４を支点に開き天部構成部材ｂ１に備えられた天部装着補助部ＸＢの天部装着ストッパーｂ１３または天部装着ラインｂ１２に展示体７の上部稜線をあてがい、天部構成部材同士を接合して展示体を固定すると天部装着ストッパーｂ１３も展示体と一緒に折りたたまれる。
【００３１】  前記展示体の地部Ｙへの装着方法を図６、図７で説明する。展示体７は天部Ｘに装着した後、吊るした状態で天部同様に行う。展示体７の下部稜線を地部表装部材ｂ２の面上の地部装着補助部ＹＢにあてがい、地部挟み込み固定部ａ５、ｂ５同士で展示体７を挟み込んで閉じる。前記天部Ｘ及び地部Ｙの挟み込み固定部同士を離間することにより展示体７は分離され展示体の入れ替えも可能となる。また、地部Ｙの自重により展示体７は引き伸ばされ、平面性を保った展示ができるようになるが、地部Ｙの自重を増す意味でも地部構成部材ａ２、ｂ２の裏面下部にも地部接合部ａ６、ｂ６を設けることが望ましい。さらに地部Ｙの重さは軸棒や軸先のおもりの代用になるので軸棒及び軸先を省くことができ、シンプルでモダンな展示装置となる。また、展示体の装着は吊り下げて行うことが条件ではなく下に広げて行ってもよい。
【実施例１】
【００３２】  以下、添付図面に従って実施例を説明する。図１は、本件展示装置の全体像を示す。符号ａ及びｂ、ｃは組み合わせ例を表し、部位は数字で表す。図２で示す通り天部Ｘ及び地部Ｙは相対する一対の天部構成部材ａ１、ｂ１及び、地部構成部材ａ２，ｂ２を備え、素材は紙とし帯状に成型し、それぞれの構成部材は天部一文字ａ８、ｂ８と一体化された布の天部表装部ａ１６、ｂ１６で表装され、同様に地部構成部材ａ２、ｂ２は地部一文字ａ９、ｂ９と一体化された地部表装部ａ１７，ｂ１７で表装されている。表装部の表装素材は紙、布、樹脂でも可能で指定するものではない。天部Ｘ及び地部Ｙの裏面の構成部材である天部挟み込み固定部ａ３、ｂ３及び天部接合部ａ４、ｂ４、地部挟み込み固定部ａ５、ｂ５及び地部接合部ａ６，ｂ６は、接離機能をもつ永久磁石として帯状ゴム磁石を用い、前記天部Ｘ及び地部Ｙの稜線に添って備え付けている。図４で示す通り天部構成部材ａ１、ｂ１の面上の天部接合部ａ４、ｂ４は掛緒幅の切れ目を中央部に左右均等に設け掛緒装着溝ａ１１、ｂ１１とし、ループ状にした掛緒１０を掛緒装着溝に収め天部構成部材同士を閉じることで掛緒１０は天部Ｘに固定され展示装置を吊り下げることが出来る。図４、図５をもって展示体の装着法を説明する。前記掛緒を取り付けた天部Ｘを天部接合部ａ４，ｂ４を支点に開き、天部装着ラインｂ１２又は天部装着ストッパーｂ１３に展示体７をあてがい閉じると天部挟み込み固定部ａ３、ｂ３の磁力を介して展示体７を挟み込み固定し、同時に天部装着ストッパーｂ１３も折りたたまれる。地部Ｙの装着は前記展示体７を挟みこんだ天部Ｘを吊るした状態で行い、図６、図７で示す通り地部Ｙの地部接合部ａ６，ｂ６を支点に開き、前記展示体７の下部稜線を地部構成部材ｂ２の面上の地部装着補助部ＹＢにあてがい天部同様に地部挟み込み固定部ａ５、ｂ５で挟み込み、同時に地部接合部ａ６、ｂ６同士を接合させて完了する。なお、天部挟み込み固定部ａ３、ｂ３及び地部挟み込み固定部ａ５、ｂ５は、ゴム磁石同士で展示体を挟み込み圧着させているため、経時変化で磁気汚れが生じ展示体を汚す恐れがありゴム磁石には保護膜として粘着テープで覆う対策を行っている。【００３３】  また、図３で示すように、表装された天部構成部材、地部構成部材と相対向する天部構成部材、地部構成部材に異なる色柄の表装を施し組み合わせ、さらに異なる２つの作品を背中合わせにして装着すると図８の壁面展示のみならず図９の空間展示を行うことができ、展示体の入れ替え、及び表装の組み替えが可能な展示装置となる。さらに図３のように同じ色、柄に表装された天部構成部材、地部構成部材を１組として想定し数組作ると組み合わせ幅が広がり展示体の付け替えと表装の組み替えができるユニット展示装置となる。
【実施例２】
【００３４】  サイズの小さな展示体の実施例を図１０で示す。展示体の紙の大きさが半切判など小さい場合は天部、地部の帯幅を変えて同様の仕組みで展開することができる。
【実施例３】
【００３５】  表装部の裏面に磁性体を貼付し天部及び地部の裏面に設けられた接離可能な接合部及び挟み込み固定部の磁力を利用することで表装部自体の着せ替えが可能となる展示装置となる。
【産業上の利用可能性】
【００３６】  都道府県別統計ランキング（２０２０年６月更新）によると、２５歳以上の書道人口は約２８０万人とされている。前述したように発表会や展示会は掛け軸仕上げの軸装が前提となっているので費用も高額で負担は大きい。本装置は使いまわしができ、展示販売の折には売れた作品だけを改めて掛け軸に仕上げることもできる。また、限られたスペースでの展示も空間展示ができることから活用範囲も広がり経済的負担も少なくなる。さらに、専門家（経師）が少なく表具が困難な諸外国であっても、気軽に展示が楽しめ日本文化の紹介の一助になり、学ぶ者にとっては習作の展示もできる。加えて、学童の学習としての発表にも活用でき、安価で質の良い展示が可能となる。【００３７】  製造面では一つのユニットを構成する天部、地部共にほぼ同じ部材、同じ工程ででき、部品の数も少ないのでロスが少なく、掛緒もループにすることで一か所の接着で済み、従来の固定金具が不要となり効率的に製造できる。
【符号の説明】
【００３８】ａ                表装部の組み合わせ単位ａ
ｂ                表装部の組み合わせ単位ｂ
ｃ                表装部の組み合わせ単位ｃ
Ｘ                天部
Ｙ                地部
ａ１、ｂ１        天部構成部材
ａ２、ｂ２        地部構成部材
ａ３、ｂ３        天部挟み込み固定部（ゴム磁石）
ａ４、ｂ４        天部接合部（ゴム磁石）
ａ５、ｂ５        地部挟み込み固定部（ゴム磁石）
ａ６、ｂ６        地部接合部（ゴム磁石）
７                展示体（作品）
ａ８、ｂ８        天部一文字
ａ９、ｂ９        地部一文字
１０              掛緒
ａ１１、ｂ１１    掛緒装着溝
ＸＡ、ＸＢ        天部装着補助部
ＹＡ、ＹＢ        地部装着補助部
Ａ１２、ｂ１２    天部装着ライン
ａ１３、ｂ１３    天部装着ストッパー
ａ１４、ｂ１４    地部装着ライン
ａ１５、ｂ１５    地部装着ストッパー
ａ１６、ｂ１６    天部表装部
ａ１７、ｂ１７    地部表装部
【図１】
0003229803.tif 000003
【図２】
0003229803.tif 000004
【図３】
0003229803.tif 000005
【図４】
0003229803.tif 000006
【図５】
0003229803.tif 000007
【図６】
0003229803.tif 000008
【図７】
0003229803.tif 000009
【図８】
0003229803.tif 000010
【図９】
0003229803.tif 000011
【図１０】
0003229803.tif 000012
【図１１】
0003229803.tif 000013